(57)【要約】  本発明は、車両の高周波技術機器のケーシング（２）を保持体（４）に固定するための係止部材（１）であって、該係止部材（１）は、前記ケーシング（２）を前記保持体（４）から取り外すための工具（８）によって操作可能に設けられている形式の係止部材に関する。本発明よれば、係止部材（１）は、平坦に形成された打ち抜き撓曲部材であり、第１部分（１１）と、該第１部分に続く屈曲された第２部分（１３）と、該第２部分に続く係止部分（１４）とを備えている。
2009542511.tif 000002
【特許請求の範囲】
【請求項１】
車両の高周波技術機器のケーシング（２）を保持体（４）に固定するための係止部材（１）であって、
該係止部材（１）は、前記ケーシング（２）を前記保持体（４）から取り外すための工具（８）によって操作可能に設けられている
形式の係止部材において、
該係止部材（１）は、平坦に形成された打ち抜き撓曲部材であり、第１部分（１１）と、該第１部分に続く屈曲された第２部分（１３）と、該第２部分に続く係止部分（１４）とを備えている、
ことを特徴とする係止部材（１）。
【請求項２】
前記第1部材（１１）は、少なくとも１つの開口部（１２）を有しており、
該開口部（１２）によって、前記係止部材（１）はリベット結合部（６）によってケーシング（２）に固定される、
ことを特徴とする請求項１記載の係止部材（１）。
【請求項３】
前記係止部材（１）は、接着接合部（７）によって前記ケーシング（２）に固定される、
ことを特徴とする請求項１記載の係止部材（１）。
【請求項４】
前記係止部分（１４）は、少なくとも１つの段部（１５）を有しており、
該段部（１５）は、前記ケーシング（２）の内部に当接される、
ことを特徴とする請求項１から３のいずれか一項記載の係止部材（１）。
【請求項５】
前記係止部分（１４）と前記第２部分（１３）の間の屈曲は、該第２部分（１３）と前記第１部分（１１）との間の屈曲よりも大きい、
ことを特徴とする請求項１から４のいずれか一項記載の係止部材（１）。
【請求項６】
前記係止部材（１）は、ばね材料から形成されている、
ことを特徴とする請求項１から５のいずれか一項記載の係止部材（１）。
【請求項７】
前記高周波技術機器は、車両のラジオ、ナビゲーション機器、アンテナ増幅器、またはテレビチューナである、
ことを特徴とする請求項１から６のいずれか一項記載の係止部材（１）。
【発明の詳細な説明】
【技術分野】
【０００１】
本発明は、請求項１の構成による、車両の高周波技術機器のケーシングを保持体に固定するための係止部材に関する。
【０００２】
車両の高周波技術機器のケーシングを保持体、とりわけ保持体のフレームに固定するための係止部材は、例えばDIN規格のスロットに嵌め込まれるカーラジオ等において基本的に公知であるが、これら公知の係止部材の構成は非常に面倒である。これらの係止部材は、例えば複数の平面に構成された複雑な形状を有しており、異なる平面において多数の屈曲部を備えている。このような複雑な幾何学的形状によって、公知の係止部材の取り扱いは面倒となり、またこの部材のために必要な工具および製造工程のせいで値段を高くする必要がある。
【０００３】
したがって本発明の基礎となる課題は、車両の高周波技術機器、例えばラジオ、ナビゲーション機器、アンテナ増幅器、テレビチューナ等のケーシングを保持体に固定するために、構成が簡単であり、かつ製造コストおよび工具コストが低く、また取り扱いが簡単な係止部材を提供することである。
【０００４】
この課題は、請求項１記載の特徴的構成によって解決される。
【０００５】
本発明によれば、係止部材は、平坦に形成された打ち抜き撓曲部材であり、この部材は、第１部分と、この第１部分に続く屈曲された第２部分と、この第２部分に続く係止部分とを備えている。部分毎に互いに屈曲された複数の部分を備えるこのような平坦な構成の利点は、係止部材を簡単に製造できることである。なぜなら機能が同じである場合、本発明による係止部材の幾何学的形状は、公知の係止部材に比べて格段に複雑でないからである。とりわけ有利には、細長で平坦に形成された複数の部分が連続して延在しているので、係止部材を、１回の打ち抜き撓曲工程において高コストの工具を使用することなく製造することができる。それだけでなく取り付けも簡単になる。なぜなら部分、とりわけ第１端部部分は、この係止部材が高周波技術機器のケーシングに固定されるように形成されているからである。こうするために有利には、リベット結合または接着接合がなされている。これらの接続方法の利点は、迅速で簡単に実施することができ、係止部材をケーシングに持続的に固定できることである。さらに、少なくとも３つの互いに連続するこれらの部分の利点は、係止部材が弾性変形可能である（したがってばね力がある）ため、機器を保持体に嵌め込んだ後、この係止部材がケーシング内壁および／または保持体に持続的に当接し、動作中に振動によるノイズの発生を回避できることである。このために、係止部材をばね材料から形成することも有利である。
【０００６】
本発明の係止部材の別の利点は、工具を使用せずに取り付けできることであり、機器のケーシングは保持体に嵌め込むことができ、完全に嵌め込まれると、係止部材はこの保持体に係止する。ただ分解するためにだけ、すなわちケーシングを保持体から取り外すためにだけ、係止部材の係止された係止部分を外れた位置に導いてケーシングを保持体から取り外すための簡単な構成の工具を使用すればよい。
【０００７】
本発明による係止部材の別の利点は、公知の係止部材と比べて所要スペースがより小さいことであり、高周波技術機器のケーシングの内部において殆どスペースを設ける必要がないので、機能が同じであれば、ケーシングを全体的に小さくすることができる。
【０００８】
本発明の係止部材の実施例を以下に記載し、図面にしたがって説明する。しかし、本発明はこの実施例に限定されない。
【図面の簡単な説明】
【０００９】
【図１】係止部材がリベット結合および／または接着接合によってケーシングに固定されている状態を示す。
【図２】上方の図において、ケーシングが完全に保持体の中に嵌め込まれている状態を示しており、下方の図において、係止部材の屈曲された端部部分が、工具によって切り欠き部から抜き出されている状態を示す。
【図３】係止部材の幾何学的形状を示す。
【００１０】
図１から３において、係止部材１は参照符号１が付与されている。係止部材１は、有利には高周波技術機器のケーシング２の内部で固定されており、ケーシング２における係止部材１の位置を明確に示すために、（有利には操作部材および／または表示部材を備える）前面３が概略的に図示されている。ケーシング２は、保持体４、有利には周囲を取り囲む保持体のフレームに嵌め込まれるように形成されており、この保持体４は、係止部材１によってケーシング２に固定するために、少なくとも１つの相応する切り欠き部５を有する。図１では、係止部材１がリベット結合部６および／または接着接合部７によってケーシング２に固定されている状態が例示されている。これら２つの接続方法は単なる一例であり、係止部材１をケーシング２に固定するための別の接続方法も考えられる。またケーシング２およびこれに相応する保持体４の形状に応じて、係止部材１を、ケーシング２の内側ではなくケーシング２の外側に固定することも考えられる。また、有利には２つの係止部材が設けられており、これらの係止部材は、ケーシング２の外壁に対称的に配置されている。しかしケーシング２の大きさに応じて、係止部材１を１つだけ使用することも、２つより多くの係止部材を使用することも考えられる。
【００１１】
図２は、上方の図において、ケーシング２が完全に保持体４の中に嵌め込まれている状態を示している。この図で認識できるように、係止部材１の屈曲された係止部分はケーシング２の切り欠き部５に噛み合い、この係止部分がほぼ直角に配置されていることによって、このケーシング２が保持体４から抜け出ることが阻止される。抜き出すためには簡単な構成の工具８を使用する必要があり、この工具によれば、この工具自体の形状および係止部材１との共働によって、係止部材１の屈曲された端部部分が切り欠き部５から抜き出され、この屈曲された端部部分が保持体４の切り欠き部５の中に存在しなくなり、係止部材１のロック作用が解消され、ケーシング２を保持体４から抜き出すことができる。
【００１２】
図３は、係止部材１の幾何学的形状を示し、ここでは細長で平坦な形状および互いに連続する複数の部分が認識できる。有利には矩形である第1部分１１は、少なくとも１つ、有利には２つの開口部１２を有し、この開口部１２は、係止部材１をリベット結合部６によってケーシング２に固定する場合に設けられる。係止部材１をケーシング２に接着する場合、開口部１２を設けることもできるが、有利にはこの開口部１２は省略される。第1部分１１には、屈曲された第２部分１３が続く。この第２部分にも、相応の作用を生じさせるために特別な形状を有する屈曲された係止部分１４が続いている。係止部分１４は端部領域に拡幅部を有することにより、段部１５（とりわけ対称的な２つの段部１５）が形成される。係止部材１がケーシング２を保持体４にロックするとき、これらの段部１５が切り欠き部５を後方から把持している。さらに、細長形状のスリット１６が係止部分１４に設けられており、このスリット１６は、工具８の傾斜形状の端部（図２参照）と共働する。係止部分１４が切り欠き部５の中で当接したときにばね作用を生じさせるために、第１部分１１は第２部分１３と向かい合わせに屈曲されている。屈曲箇所において弓形の形状も考えられ、この弓形形状部を介して第１部分１１が第２部分１３に移行する。第２部分１３から係止部分１４への移行部にも同様のことが当てはまり、この移行部は、屈曲されているか、弓形か、または別の形状に形成することができる。係止部材１のロック作用を生じさせるために、係止部分１４と第２部分１３との間の屈曲は、第２部分１３と第１部分１１との間の屈曲よりも大きくなっている。第２部分１３と係止部分１４と間を大きく屈曲させることによって、ロック状態において、すなわちケーシング２が完全に保持体４に嵌め込まれている状態において、係止部分１４をケーシング２の外壁ないし保持体４の内壁に対してほぼ直角に方向付けることができる。これによりロック作用が生じる。このロック作用は、工具８の傾斜形状の端部がスリット１６に挿入されると解消することができる。
【００１３】
例えば図３に示すような係止部材１の簡単な形状以外にも、相応する工具８の簡単な形状も重要である。このような形状により、工具８の取り扱いが簡単になり、工具８が低コストになる。工具８も平坦な材料から構成されており、打ち抜き撓曲方法によって製造される。さらに指摘しておくべき重要な点は、ケーシング２は工具を使用することなく、係止部材１によって保持体４に固定することができ、分解するときにだけ工具８を使用すればよいということである。
【符号の説明】
【００１４】
１  係止部材、  ２  ケーシング、  ３  前面、  ４  保持体、  ５  切り欠き部、  ６  リベット結合部、  ７  接着接続部、  ８  工具、  １１  第１部分、  １２  開口部、  １３  第２部分、  １４  係止部分、  １５  段部、  １６  スリット
【図１】
2009542511.tif 000003
【図２】
2009542511.tif 000004
【図３】
2009542511.tif 000005
【国際調査報告】
2009542511.tif 000006
2009542511.tif 000007
2009542511.tif 000008
2009542511.tif 000009